(57)【要約】【課題】溶融酸素銅や銅合金の酸素分圧や酸素濃度を測定するために、測定精度が良い銅用酸素センサを選択する方法を提供する。【解決手段】予測される無酸素銅や銅合金の酸素濃度が、０．５ｐｐｍ程度の場合、すなわち、酸素分圧のレベルが１０−１３のレベルの場合は、Ｆｅ／ＦｅＯと、Ｍｏ／ＭｏＯ２のいずれかを基準極とする。予測される無酸素銅や銅合金の酸素濃度が、０．００５ｐｐｍ程度の場合、酸素分圧のレベルが１０−１７のレベルの場合は、Ｃｒ／Ｃｒ２Ｏ３を基準極とする。銅の酸素濃度が、１５０ｐｐｍ程度と予測される場合、すなわち酸素分圧のレベルが１０−８のレベルと予測される場合は、Ｎｉ／ＮｉＯを基準極として選択する。【選択図】なし【特許請求の範囲】
【請求項１】
測定対象の酸素銅又は銅合金の酸素分圧のレベルを、製造条件から予測し、そのレベルと、測定温度における銅用酸素センサの基準極の平衡酸素分圧との大きさの比較に基づいて、銅用酸素センサを選択することを特徴とする銅用酸素センサの選択方法。
【発明の詳細な説明】
【技術分野】
【０００１】
本発明は、酸素銅用酸素センサの選択方法に関するものである。
【背景技術】
【０００２】
従来から、一般的な銅の溶融液中の酸素分圧や或いは酸素濃度を、安定化ジルコニアを固体電解質とした濃淡電池型の酸素センサプローブにより、リアルタイムでインライン測定する技術が確立されており、銅の溶解プロセスにおいて有効に利用されている。
【０００３】
ところで、無酸素銅では、一般的な銅の溶融液に比較して、極低濃度（１０ｐｐｍ以下）の酸素が溶け込んでおり、この酸素分圧或いは酸素濃度の測定ができれば、無酸素銅の製造における品質管理が向上できるため好ましい。
【発明の概要】
【発明が解決しようとする課題】
【０００４】
しかし、従来は、酸素濃度が比較的高い一般的な銅又は銅合金の溶融液を測定する場合と比較して、無酸素銅は、酸素濃度が極低濃度であるために高精度に溶融液中の酸素分圧や酸素濃度を測定することがむずかしく、その酸素濃度や、酸素分圧を測定することは不可能と考えられていたためか、測定例はほとんど見当たらない。
【０００５】
本発明は、このような従来技術に存在する問題点に着目してなされたものである。その目的とするところは、溶融酸素銅や銅合金の酸素分圧や酸素濃度を測定するために、測定精度が良い銅用酸素センサを選択する方法を提供することにある。
【課題を解決するための手段】
【０００６】
上記の目的を達成するために、
請求項１の発明は、測定対象の酸素銅又は銅合金の酸素分圧のレベルを、製造条件から予測し、そのレベルと、測定温度における銅用酸素センサの基準極の平衡酸素分圧との大きさの比較に基づいて、銅用酸素センサを選択することを特徴とする銅用酸素センサの選択方法を要旨とするものである。
【発明の効果】
【０００７】
本発明によれば、次のような効果を発揮することができる。
請求項１によれば、溶融酸素銅や銅合金の酸素分圧や酸素濃度を測定するために、測定精度が良い銅用酸素センサを選択することができる。
【図面の簡単な説明】
【０００８】
【図１】（ａ）は酸素センサを示す概略正面図、（ｂ）は酸素センサプローブとホルダーとを分解して示す概略正面図、（ｃ）は演算器を示す概略背面図。
【図２】（ａ）は第１実施形態における酸素センサプローブの要部を破断して示す正面図、（ｂ）は（ａ）の状態でキャップを取り外したときの側面図。
【図３】酸素センサ素子を拡大して示す断面図。
【図４】酸素分圧と酸素濃度との関係を示す説明図。
【図５】溶融液中への酸素センサプローブの浸漬時間と起電力及び温度との関係を示すグラフ。
【図６】他の実施形態の酸素センサの概略断面図。
【図７】溶融液中への酸素センサプローブの浸漬時間と起電力及び温度との関係を示すグラフ。
【発明を実施するための形態】
【０００９】
（第１実施形態）
以下、本発明を具体化した一実施形態を図面に基づいて詳細に説明する。
図１（ａ）は本実施形態における固体電解質型の酸素センサを示す概略正面図、（ｂ）は酸素センサプローブとホルダーとを分解して示す概略正面図、（ｃ）は演算器を示す概略背面図である。これらの図に示すように、酸素センサは、円柱状の酸素センサプローブ１１と、該酸素センサプローブ１１を収容保持する有底円筒状のホルダー１２と、一端が酸素センサプローブ１１に接続された接続ケーブル１３と、該接続ケーブル１３の他端にコネクター１４を介して接続された演算器１５とにより構成されている。本実施形態の酸素センサプローブ１１は、消耗型（使い切り用）のセンサプローブである。
【００１０】
酸素センサプローブ１１は、測定対象媒体である溶融無酸素銅又は溶融銅合金の溶融液中に浸漬されて酸素分圧又は酸素濃度を測定するようになっている。演算器１５は四角箱状に形成され、その表面には温度表示部１６及び濃度又は分圧表示部１７が設けられている。演算器１５の裏面には濃度、分圧表示切換部１８及び電源スイッチ１９が設けられている。そして、演算器１５は、酸素センサプローブ１１からの信号に基づいて酸素濃度を演算し又は酸素分圧とを演算して表示するようになっている。
【００１１】
次に、酸素センサプローブ１１について詳細に説明する。図２（ａ）は酸素センサプローブ１１の要部を破断して示す正面図、（ｂ）は（ａ）の状態でキャップ３０を取り外したときの側面図である。図３は酸素センサプローブ１１を示す断面図である。これらの図に示すように、酸素センサプローブ１１の先端部１１ａには円筒状のセラミックスベース２０が配設され、そのセラミックスベース２０のほぼ中心部には導線よりなる＋側素線２１と−側素線２２とが先端部で接合されることにより円弧状に形成された熱電対２３が設けられている。この熱電対２３は石英管２４内に配設され、保護されている。＋側素線２１と−側素線２２とを有する熱電対２３及び石英管２４により温度測定部が構成されている。＋側素線２１は白金にロジウム１３質量％が含有された合金で形成され、−側素線２２は白金で形成されている。
【００１２】
該熱電対２３の側方位置には酸素センサ素子２５が熱電対２３より高くなるように突設されている。＋側素線２１、−側素線２２は接続ケーブル１３を介して、演算器１５に接続されている。熱電対２３を挟んで酸素センサ素子２５と反対側の位置には、接続電極２６が酸素センサ素子２５とほぼ同じ高さになるように突設されている。接続電極２６は、接続ケーブル１３を介して演算器１５に電気的に接続されている。接続電極２６は、接続部材に相当する。
【００１３】
図３に示すように、酸素センサ素子２５は、溶融金属中に置かれる有底円筒状の固体電解質管２７内に基準極として機能する基準物質２８が収容されて構成されている。基準物質２８は、図示しないリード線が接続され、接続ケーブル１３を介して、演算器１５に接続されている。前記リード線及び接続ケーブル１３は、接続部材に相当する。
【００１４】
そして、測定対象媒体である無酸素銅又は銅合金が測定極となり、その測定極に接続電極２６から電気信号が送られるようになっている。
これらの熱電対２３、酸素センサ素子２５及び接続電極２６を覆うように有蓋円筒状をなす銅製のキャップ３０がセラミックスベース２０に取付け固定されている。該キャップ３０先端部の中心には貫通孔３１が透設され、貫通孔３１を介してキャップ３０の外部と内部とが連通されている。この貫通孔３１により、無酸素銅又は銅合金の溶融液中に、酸素センサプローブ１１を漬けたときに、キャップ３０内に溶融液が侵入可能である。
【００１５】
（固定電解質）
前記固体電解質管２７に使用される固体電解質としては９モル％のマグネシア（ＭｇＯ）がドープされたジルコニア（ＺｒＯ2）が用いられる。
【００１６】
本実施形態においては、ジルコニア固体電解質は、酸素イオンの電導体として機能し、ジルコニア固体電解質を、溶融無酸素銅又は溶融銅合金に接触させることにより、基準極と溶融する溶融無酸素銅又は溶融銅合金中の酸素分圧の差によって、起電力が発生する。ジルコニア（ＺｒＯ2）単体を用いた場合、酸素濃淡電池の起電力は生ずることはないが、上記酸化物であるマグネシア（ＭｇＯ）を添加することにより、酸素濃淡電池の起電力が発生する。
【００１７】
（基準極）
本実施形態の基準物質２８としては、下記のＣｒ／Ｃｒ２Ｏ３系、Ｆｅ／ＦｅＯ系、Ｍｏ／ＭｏＯ２系のいずれかの金属と該金属の酸化物との混合物が用いられ、その質量比は、金属：金属酸化物＝９：１とされている。
【００１８】
（１）  クロム（Ｃｒ）と酸化クロム（Ｃｒ２Ｏ３）
（２）  Ｆｅ（鉄）と酸化鉄（ＦｅＯ）
（３）  Ｍｏ（モリブデン）とＭｏＯ２（酸化モリブデン）
これらの金属及び金属酸化物は、いずれも、無酸素銅又は銅合金の溶融温度である１０００℃〜１５００℃では、溶融しないものが選択されており、測定温度においては常に固相を呈する。ちなみに、クロムの融点は１９０５℃、鉄は１５３５℃、モリブデンは２６２２℃である。
【００１９】
いずれの基準極を使用するか、すなわち、いずれの基準極を備えた酸素センサプローブ１１を使用するかは、無酸素銅又は銅合金中に含まれていると予測される酸素濃度のレベル、すなわち、酸素分圧のレベルに応じて決定される。
【００２０】
この予測される酸素濃度の値（予測値）は厳密なものではなく、無酸素銅又は銅合金の製造条件である製造工程において、溶融温度、溶融時間、或いは、混合する他の金属の混合割合等に基づいて予測される値であって、大きさのレベルを示すものである。なお、精錬工程で作られる粗銅は酸素濃度が０．２％以下であり、この後、電気銅を経てタフピッチ銅にされた場合、酸素濃度は０．０２％程度となっている。このタフピッチ銅の溶融銅に対して酸素をさらに取り除いたものが無酸素銅となる。従って、無酸素銅の酸素濃度のレベルを予測することは容易にできる。又、過去の無酸素銅又は銅合金の製造工程における、溶融温度、溶融時間、或いは、混合する他の金属の混合割合等の製造実績をデータベース化したものから、予測値を選択してもよい。
【００２１】
次に、いずれの基準極を選択するかを具体的に説明する。
表１は、１１５０℃における金属／金属酸化物の平衡酸素分圧を示す。
【００２２】
【表１】
2011075582.tif 000002
なお、表１において、「Ｎｉ／ＮｉＯ」は、酸素濃度が１０ｐｐｍ以下ではなく、一般の溶融銅の酸素分圧、又は酸素濃度の測定の場合に使用されている従来の基準極である。
【００２３】
表２は、各金属／金属酸化物を固体基準極とし、１１５０℃において、銅中の酸素濃度が異なる場合の酸素センサの起電力を示している。
【００２４】
【表２】
2011075582.tif 000003
表２に示すように、無酸素銅又は銅合金中の酸素濃度が、１５０ｐｐｍ、０．５ｐｐｍ、０．００５ｐｐｍの場合における酸素分圧（すなわち、前述した酸素分圧のレベル）は、それぞれ１０−８ａｔｍ、１０−１３ａｔｍ、１０−１７ａｔｍである（図４参照）。
【００２５】
表１に示した、金属／金属酸化物の平衡酸素分圧と対比すると、Ｆｅ／ＦｅＯは、１．９７×１０−１３、Ｍｏ／ＭｏＯ２は、４．８８×１０−１３であるため、銅中の酸素濃度０．５ｐｐｍの１０−１３のレベルと同じ程度であることが分かる。このため、銅中の酸素濃度が０．５ｐｐｍを含むレベルでは、Ｆｅ／ＦｅＯ又はＭｏ／ＭｏＯ２を基準極として選ぶと、起電力が小さくなることが分かる。
【００２６】
又、表１に示した、金属／金属酸化物の平衡酸素分圧と対比すると、Ｃｒ／Ｃｒ２Ｏ３は、１．６４×１０−１９であるため、銅中の酸素濃度０．００５ｐｐｍの１０−１７のレベルに近い程度であることが分かる。このため、銅中の酸素濃度０．００５ｐｐｍを含む小さなレベルでは、このＣｒ／Ｃｒ２Ｏ３を基準極として選ぶと、起電力が小さくなることが分かる。
【００２７】
そして、無酸素銅又は銅合金中の酸素濃度が、１５０ｐｐｍ、０．５ｐｐｍ、０．００５ｐｐｍの場合、各金属／金属酸化物の組み合わせを基準極とした場合、酸素センサの起電力は、表２の通りとなる。
【００２８】
このように、測定温度（例えば、１１５０℃）における測定極の予測される酸素分圧のレベル（すなわち、酸素濃度のレベル）と、基準極の平衡酸素分圧が同じ程度、もしくは近いレベルのものを選択することにより、起電力の絶対値が小さい基準極を選択できることになる。
【００２９】
ここで、酸素センサ素子２５の起電力の絶対値をできるだけ小さくするのが良い理由を述べる。
この理由は、酸素センサ素子２５の起電力が大きくなると、固体電解質中において、酸素濃度が濃い方から薄い方に電気化学的な漏れ（短絡）が生じるためである。又、酸素濃度差が大きいと、酸素センサのガスライン（酸素センサプローブ１１内において、空気が存在する空間域をいう）等から、溶融液中にガスの漏れの影響があり、測定を開始してから（すなわち、溶融銅に漬けてから）の起電力が一定とならずに安定せず、測定精度が悪くなる。
【００３０】
一方、基準極と測定極（無酸素銅又は銅合金）とが同じ程度（レベル）の濃度のものを用いると、発生する起電力が小さくなり、前述した電気化学的な漏れや、ガスラインからの漏れの影響を小さくでき、測定開始してからの起電力が安定するため、早期に測定ができる。
【００３１】
０．５ｐｐｍの場合は、測定する起電力の絶対値は、Ｆｅ／ＦｅＯと、Ｍｏ／ＭｏＯ２が同じ程度のレベルであり、これらの起電力の絶対値が、Ｃｒ／Ｃｒ２Ｏ３よりも小さいため、この２つのいずれかを基準極とする酸素センサが選択される。
【００３２】
又、０．００５ｐｐｍの場合、Ｃｒ／Ｃｒ２Ｏ３が他の基準極よりも絶対値が小さいため、Ｃｒ／Ｃｒ２Ｏ３を基準極とする酸素センサが選択される。
なお、無酸素銅ではない一般の銅の場合、１５０ｐｐｍの酸素濃度の場合には、基準極としては、Ｎｉ／ＮｉＯの起電力の絶対値が小さいため、Ｃｒ／Ｃｒ２Ｏ３を基準極とする酸素センサがよい。
【００３３】
（接続電極２６）
接続電極２６は、本実施形態では、モリブデンからなるがこの材質に限定されるものではない。接続電極２６は、無酸素銅又は銅合金とは反応又は溶解しないものを選択すればよい。
【００３４】
次に、酸素センサプローブ１１の原理について説明する。
固体電解質管２７の両側に存在する基準極と測定極中における酸素濃度又は酸素分圧が異なる場合、基準極と測定極との間に発生する起電力Ｅは下記に示すネルンストの式に基づいて算出される。
【００３５】
【数１】
2011075582.tif 000004
但し、Ｅは理論起電力、Ｒは気体定数、Ｆはファラデー定数及びＴは絶対温度を表す。又、
【００３６】
【数２】
2011075582.tif 000005
は基準極側における酸素濃度又は酸素分圧を表す。
【００３７】
【数３】
2011075582.tif 000006
は測定極側における酸素濃度又は酸素分圧を表す。
【００３８】
このネルンストの式を用いることにより、一方の酸素濃度又は酸素分圧と温度が既知の場合には、発生した起電力から他方の酸素濃度又は酸素分圧を演算することができる。従って、酸素センサプローブ１１としての機能を果たすことができる。
【００３９】
（実施形態の作用）
さて、例えば、無酸素銅又は銅合金の溶融液中の酸素濃度を測定する場合には、酸素センサプローブ１１を溶融液の方へ向け、そのキャップ３０部分を溶融液中へ漬ける。その状態で、酸素センサ素子２５において起電力（Ｅ）が測定されると共に、熱電対２３によって溶融液の温度（Ｔ）（すなわち、測定温度）が測定される。又、固体電解質管２７の一方の側における酸素濃度は既知である。従って、酸素センサプローブ１１の演算器１５において、前記ネルンストの式に基づき溶融液中の酸素濃度が演算され、濃度又は分圧表示部１７に表示される。又、溶融液の温度は熱電対２３によって測定され、演算器１５で演算されて温度表示部１６に表示される。
【００４０】
以上詳述した第１実施形態によれば、次のような効果が発揮される。
・  第１実施形態では、測定極である無酸素銅や銅合金の予測される酸素濃度、すなわち、酸素分圧のレベルに応じて、酸素センサ素子２５の起電力の絶対値を小さくする基準極が選択されるため、電気化学的な漏れや、ガスラインからの漏れの影響を小さくできる。この結果、早期に起電力が安定するため、早期に測定ができる。
【００４１】
・  例えば、予測される無酸素銅や銅合金の酸素濃度が、０．５ｐｐｍ程度の場合、すなわち、酸素分圧のレベルが１０−１３のレベルの場合は、Ｆｅ／ＦｅＯと、Ｍｏ／ＭｏＯ２のいずれかを基準極とすれば、酸素センサの起電力の絶対値を小さくできる。この結果、早期に起電力が安定するため、早期に測定ができる。
【００４２】
・  又、予測される無酸素銅や銅合金の酸素濃度が、０．００５ｐｐｍ程度の場合、酸素分圧のレベルが１０−１７のレベルの場合は、Ｃｒ／Ｃｒ２Ｏ３を基準極とすれば、酸素センサの起電力の絶対値を小さくできる。この結果、早期に起電力が安定するため、早期に測定ができる。
【００４３】
・  又、表２に示すように銅の酸素濃度が、１５０ｐｐｍ程度と予測される場合、すなわち酸素分圧のレベルが１０−８のレベルと予測される場合は、Ｎｉ／ＮｉＯを基準極として選択すれば、銅用酸素センサの起電力の絶対値を小さくできる。この結果、早期に起電力が安定するため、早期に測定ができる。
【００４４】
・  図５は、Ｎｉ／ＮｉＯ、Ｃｒ／Ｃｒ２Ｏ３をそれぞれ基準極として、Ｎｉ／ＮｉＯを比較例１とし、Ｃｒ／Ｃｒ２Ｏ３を、実施例１として無酸素銅の溶融液に浸したときの経過時間と、起電力の測定試験の結果を示している。なお、測定温度は１１５０℃である。
【００４５】
同図に示すように、比較例１では、測定開始してから起電力が安定していないことが分かり、その結果、測定精度が悪いことが分かる。一方、実施例１では、早期に起電力が安定するため、早期に安定した起電力を測定できる。
【００４６】
（第２実施形態）
次に、本発明を具体化した第２実施形態を図６、図７を参照して説明する。図６は、ガスを基準極とする酸素センサ１５０を構成する酸素センサの概略構成を示す説明図である。
【００４７】
酸素センサ１５０は、演算器１１０、接続端子１２０、酸素センサ素子１２５、温度センサ１４０を備えている。図６において、酸素センサ素子１２５は、外殻チューブ１２６と、内殻チューブ１３４を備えている。外殻チューブ１２６は、アルミナからなる。外殻チューブ１２６の先端は、固体電解質１２７にて、閉塞されている。該固体電解質１２７は、外殻チューブ１２６の軸心方向に沿ってその先端側へ延出されている。固体電解質は、本実施形態では、９モル％のマグネシア（ＭｇＯ）がドープされたジルコニア（ＺｒＯ2）が用いられる。
【００４８】
固体電解質１２７の上部と、外殻チューブ１２６の先端は、アルミナからなるキャップ１２８にて覆われている。さらに、外殻チューブ１２６の下端部の一部と、キャップ１２８と、固体電解質１２７の下端周面は、アルミナセメントからなる覆い部材１２９にて覆われている。固体電解質１２７の下端面は、露出されている。又、キャップ１２８の下端面と、固体電解質１２７と、覆い部材１２９とにより囲まれる空間、及び、キャップ１２８の上端面と、外殻チューブ１２６と、覆い部材１２９とにより囲まれる空間は、グラスシール１３０，１３１によりシールされている。
【００４９】
外殻チューブ１２６内の空間に臨む固体電解質１２７の上面には、多孔質の白金電極１３２が形成されている。外殻チューブ１２６内には、電導性の内殻チューブ１３４が挿入配置されている。内殻チューブ１３４は、本実施形態ではステンレスに形成されている。内殻チューブ１３４の下端は、白金電極１３２に接するように配置されており、白金電極１３２内は基準極となるガスが導入される。そして、導入されたガスは、白金電極１３２内を通って、外殻チューブ１２６と内殻チューブ１３４との間の空間を介して、外部へ導出される。又、白金電極１３２は、内殻チューブ１３４と接することにより、電気的に接続されている。白金電極１３２、外殻チューブ１２６は接続部材に相当する。
【００５０】
又、酸素センサ素子１２５の内殻チューブ１３４は、演算器１１０に対して電気的に接続されており、酸素センサ素子１２５の検出信号を演算器１１０に入力可能である。演算器１１０は、第１実施形態の演算器１５と同一構成であるため、その詳細な説明を省略する。
【００５１】
接続端子１２０は、アルミナからなるチューブ１２１を備えている。チューブ１２１の下端は、導電性のキャップ１２２により閉塞されている。本実施形態では、キャップ１２２は、グラファイトからなる。又、チューブ１２１内には、導電性ロッド１２３が挿入されており、キャップ１２２に対して電気的に接続されている。導電性ロッド１２３は、演算器１１０に対して電気的に接続されている。そして、図６に示すように、接続端子１２０は溶融銅Ｄに漬けることが可能である。
【００５２】
導電性ロッド１２３，キャップ１２２は接続部材に相当する。
又、温度センサ１４０は、図示しない熱電対からなり、耐熱材にて覆われて、溶融銅Ｄに漬けることが可能である。温度センサ１４０は、演算器１１０に温度検出信号の入力が可能である。
【００５３】
さて、第２実施形態の基準極について説明する。
本実施形態の基準物質である基準極としては、下記のＨ２／Ｏ２／Ａｒ系、ＣＯ／ＣＯ２／Ａｒ系の混合ガスが用いられる。
【００５４】
（１）  ４％Ｈ２−０．５％Ｏ２−９５．５％Ａｒ（以下、混合ガスＡという）
（２）  １０％ＣＯ−０．１％ＣＯ２−８９．９％Ａｒ（以下、混合ガスＢという）
いずれの基準極を使用するか、すなわち、いずれの基準極を備えた酸素センサ素子１２５を使用するかは、無酸素銅又は銅合金中に含まれていると予測される酸素濃度のレベル、すなわち、酸素分圧のレベルに応じて決定される。
【００５５】
この酸素濃度の値（予測値）は、第１実施形態と同様に予測される。
次に、いずれの基準極を選択するかを具体的に説明する。
表３は、１１５０℃における混合ガスの平衡酸素分圧を示す。
【００５６】
【表３】
2011075582.tif 000007
表４は、各混合ガスを基準極とし、１１５０℃において、銅中の酸素濃度が異なる場合の酸素センサの起電力を示している。
【００５７】
【表４】
2011075582.tif 000008
なお、表４において、「基準極の空気」は、酸素濃度が１０ｐｐｍ以下ではなく、一般の溶融銅の酸素分圧、又は酸素濃度の測定の場合に使用されている従来の基準極である。
【００５８】
表４に示すように、無酸素銅又は銅合金中の酸素濃度が、１５０ｐｐｍ、０．５ｐｐｍ、０．００５ｐｐｍの場合における酸素分圧（すなわち、前述した酸素分圧のレベル）は、それぞれ１０−８ａｔｍ、１０−１３ａｔｍ、１０−１７ａｔｍである。
【００５９】
表３に示した、混合ガスの平衡酸素分圧と対比すると、混合ガスＡは、４．３６×１０−１４であるため、混合ガスＢよりも、銅中の酸素濃度０．５ｐｐｍの１０−１３のレベルと混合ガスＢよりも近いレベルであることが分かる。このため、銅中の酸素濃度が０．５ｐｐｍを含むレベルでは、混合ガスＡを基準極として選ぶと、起電力が小さくなることが分かる。
【００６０】
又、表３に示した、混合ガスの平衡酸素分圧と対比すると、混合ガスＢは、５．６２×１０−１８であるため、銅中の酸素濃度０．００５ｐｐｍの１０−１７のレベルに近い程度であることが分かる。このため、銅中の酸素濃度０．００５ｐｐｍを含むレベルでは、混合ガスＢを基準極として選ぶと、起電力が小さくなることが分かる。
【００６１】
そして、無酸素銅又は銅合金中の酸素濃度が、１５０ｐｐｍ、０．５ｐｐｍ、０．００５ｐｐｍの場合、空気、混合ガスＡ，Ｂを基準極とした場合、酸素センサの起電力は、表４の通りとなる。
【００６２】
このように、測定温度（例えば、１１５０℃）における測定極の予測される酸素分圧のレベル（すなわち、酸素濃度のレベル）と、基準極の平衡酸素分圧が同じ程度、もしくは近いレベルのものを選択することにより、起電力の絶対値が小さい基準極を選択できることになる。
【００６３】
以上詳述した第２実施形態によれば、次のような効果が発揮される。
・  第２実施形態においても、第１実施形態と同様に測定極である無酸素銅や銅合金の予測される酸素濃度のレベルに応じて、酸素センサ素子２５の起電力の絶対値を小さくする基準極が選択されるため、電気化学的な漏れや、ガスラインからの漏れの影響を小さくできる。この結果、早期に起電力が安定するため、早期に測定ができる。
【００６４】
・  例えば、無酸素銅や銅合金の酸素濃度のレベルが、０．５ｐｐｍ程度の場合は、混合ガスＡを基準極とすれば、酸素センサの起電力の絶対値を小さくできる。この結果、早期に起電力が安定するため、早期に測定ができる。
【００６５】
・  又、無酸素銅や銅合金の酸素濃度のレベルが、０．００５ｐｐｍ程度の場合は、混合ガスＢを基準極とすれば、酸素センサの起電力の絶対値を小さくできる。この結果、早期に起電力が安定するため、早期に測定ができる。
【００６６】
・  又、表４に示すように予測される銅中の酸素濃度が、１５０ｐｐｍ程度と予測される場合、すなわち、酸素分圧のレベルが１０−８のレベルと予測される場合は、空気を基準極として選択すれば、酸素センサの起電力の絶対値を小さくできる。この結果、早期に起電力が安定するため、早期に測定ができる。
【００６７】
・  図７は、空気、混合ガスＡをそれぞれ基準極として、空気を比較例２とし、混合ガスＡを、実施例２として無酸素銅の溶融液に浸したときの経過時間と、起電力の測定試験の結果を示している。なお、測定温度は１１５０℃である。なお、比較例２では、図７に示すように、経過時間が、０．８ｈ〜１．４ｈの間は、空気に代えて混合ガスＡを供給した場合であり、この間は、実施例２と同様の起電力の測定ができたことを示している。
【００６８】
そして、比較例２においては、図７に示すように、空気（図７ではＡｉｒ基準）と記載されている区間では、いずれも、測定された起電力は、測定開始から右下がりに変位しており、起電力が安定していないことが分かり、その結果、測定精度が悪いことが分かる。一方、実施例２では、早期に起電力が安定するため、早期に安定した起電力を測定できる。
【００６９】
・  第２実施形態では、固体電解質１２７の外殻チューブ１２６内の空間に臨む面には、多孔質の白金電極１３２を備え、白金電極１３２に対して、内殻チューブ１３４から基準極である混合ガスを導入するようにした。この結果、多孔質の電極内に混合ガスが入りこみ、混合ガスと固体電解質との酸素イオンの伝導を行い易くすることができる。
【００７０】
なお、本発明の実施形態は前記実施形態に限定されるものではなく、下記のように変更してもよい。
・  前記実施形態及び前記実施例では、測定温度は、１１５０℃としたが、この温度に限定するものではなく、無酸素銅、又は銅合金の溶融温度の範囲内、１０００℃〜１５００℃の範囲内であればよい。
【００７１】
・  第１実施形態において、Ｃｒ／Ｃｒ２Ｏ３系、Ｆｅ／ＦｅＯ系、Ｍｏ／ＭｏＯ２系の各成分の混合割合を変更すること。
・  第２実施形態において、Ｈ２／Ｏ２／Ａｒ系、ＣＯ／ＣＯ２／Ａｒ系の混合ガスのそれぞれ成分の混合割合を変更すること。
【符号の説明】
【００７２】
１３…接続ケーブル（接続部材）、
２６…接続電極（接続部材）、
２７…固体電解質管（固体電解質）、
２８…基準物質（基準極）。
【図１】
2011075582.tif 000009
【図２】
2011075582.tif 000010
【図３】
2011075582.tif 000011
【図４】
2011075582.tif 000012
【図５】
2011075582.tif 000013
【図６】
2011075582.tif 000014
【図７】
2011075582.tif 000015